(57)【要約】【課題】  ボルトが破損することがなく、既存のＣＡＴＶ機器への適用も容易な押さえ具と懸架装置を提供する。【解決手段】  本発明の押さえ具は、大きさ又は／及び形状の異なる二以上の押さえ部と突出長の異なる二以上の支持突起を備え、二以上の押さえ部の夫々は二以上の支持突起のいずれか一つと一対一の関係にあり、夫々の押さえ部はワイヤ収まり部を備え、夫々の支持突起は一対一の関係にある押さえ部のワイヤ収まり部側に突出し、支持突起の突出長は、一対一の関係にある押さえ部でメッセンジャーワイヤを押さえたときに受け台に当接して押さえ具を水平又は略水平な状態に保持できる長さとしてある。本発明の懸架装置は、ＣＡＴＶ機器のメッセンジャーワイヤへの懸架装置であって、押さえ具として前記押さえ具を備えたものである。【選択図】      図１
2018173103.tif 000002
【特許請求の範囲】
【請求項１】
メッセンジャーワイヤをＣＡＴＶ機器の受け台と押さえ具で挟み、当該押さえ具を固定具で受け台に固定することによって、前記メッセンジャーワイヤにＣＡＴＶ機器を吊り下げることのできるＣＡＴＶ機器用懸架装置の押さえ具において、
大きさ又は／及び形状の異なる二以上の押さえ部と、突出長の異なる二以上の支持突起を備え、
前記二以上の押さえ部の夫々は前記二以上の支持突起のいずれか一つと一対一の関係にあり、
前記夫々の押さえ部はメッセンジャーワイヤが収まるワイヤ収まり部を備え、
前記夫々の支持突起は一対一の関係にある押さえ部のワイヤ収まり部側に突出し、
前記支持突起の突出長は、一対一の関係にある押さえ部でメッセンジャーワイヤを押さえたときに前記受け台に当接して押さえ具を水平又は略水平な状態に保持できる長さであり、
前記二以上の押さえ部の中から選択される任意の押さえ部を用いることで所定外径のメッセンジャーワイヤを押さえることができ、前記任意の押さえ部とは異なる押さえ部を用いることで前記所定外径のメッセンジャーワイヤとは外径の異なる他のメッセンジャーワイヤを押さえることができる、
ことを特徴とするＣＡＴＶ機器用懸架装置の押さえ具。
【請求項２】
メッセンジャーワイヤをＣＡＴＶ機器の受け台と押さえ具で挟み、当該押さえ具を固定具で受け台に固定することによって、前記メッセンジャーワイヤにＣＡＴＶ機器を吊り下げることのできるＣＡＴＶ機器用懸架装置において、
前記押さえ具が請求項１記載のＣＡＴＶ機器用懸架装置の押さえ具であり、
前記メッセンジャーワイヤを押さえた前記押さえ具を前記固定具で前記受け台に固定することによって、当該メッセンジャーワイヤにＣＡＴＶ機器を吊り下げることができる、
ことを特徴とするＣＡＴＶ機器用懸架装置。
【発明の詳細な説明】
【技術分野】
【０００１】
本発明はＣＡＴＶシステムに使用される幹線増幅器、幹線分岐器といったＣＡＴＶ機器をメッセンジャーワイヤに吊り下げるのに利用するＣＡＴＶ機器用懸架装置の押さえ具（以下、単に「押さえ具」という）と、当該押さえ具を備えたＣＡＴＶ機器用懸架装置（以下、単に「懸架装置」という）に関する。
【背景技術】
【０００２】
ＣＡＴＶ機器には各種のものがあり、その中には図８に示すようにメッセンジャーワイヤＭに吊下げるものがある。この種のＣＡＴＶ機器には図９（ａ）に示す様に、その筐体Ａの外部上面に懸架装置Ｂが形成されている。この懸架装置Ｂは筐体Ａの上面に形成された受け台Ｃの上面にＶ溝Ｄが形成され、その受け台Ｃの上に側面形状Ｌ字形の押さえ具ＥをボルトＦにより取付けて、押さえ具Ｅの横板ＧがＶ溝Ｄの上に被さるようにしてある。このＣＡＴＶ機器をメッセンジャーワイヤＭに吊下げるには、Ｖ溝Ｄと横板Ｇの湾曲部Ｈとの間にメッセンジャーワイヤＭを配置し、その状態でボルトＦを締付けて押さえ具Ｅを押し下げることにより、メッセンジャーワイヤＭをＶ溝Ｄと湾曲部Ｈとの間に挟着保持していた。
【０００３】
しかし、従来のＣＡＴＶ機器の懸架装置ＢはメッセンジャーワイヤＭの径の大きさによって、押さえ具Ｅが傾斜してその押し付け角度が変化する。例えば、図９（ｂ）に示すようにメッセンジャーワイヤＭの径がＶ溝Ｄに比して小さ過ぎると、ボルトＦを締付けたときに押さえ具Ｅの先端が前下がりになる。この場合、ボルトＦの頭と押さえ具Ｅとの間に空間ができてメッセンジャーワイヤＭの締付けが不十分になるとか、強く締付けると押さえ具ＥがボルトＦに対して梃の作用をし、ボルトＦが図９（ｂ）に仮想線で示す様に湾曲することがある。このように湾曲するとボルトＦが回転しにくくなり、取外しが面倒になり、ときにはボルトＦの螺子山が破損したり、ボルトＦが折れてしまうこともあった。
【０００４】
また、図９（ｃ）に示すようにメッセンジャーワイヤＭの径がＶ溝Ｄに比して大き過ぎると、ボルトＦを締付けたときに押さえ具Ｅの先端が前上がりになり、押さえ具Ｅが浮き上がるようになり、メッセンジャーワイヤＭがＶ溝Ｄにも僅かしか嵌らない。このためメッセンジャーワイヤＭの挟持が不安定になるとか、強く締付けると押さえ具ＥがボルトＦに対して梃の作用をし、ボルトＦが図９（ｃ）に仮想線で示す様に湾曲してしまうことがある。このように湾曲した場合もボルトＦが回転しにくくなり、取外しが面倒になり、ときにはボルトＦの螺子山が破損したり、ボルトＦが折れてしまうこともあった。
【０００５】
前述のような問題を解決するため、本件出願人は、受け台に縦孔と係止孔を形成し、その縦孔に挿入したボルトを、係止孔内に回転可能にセットされた駒の螺子孔にねじ込むことによって、ボルトの曲がりや折損、螺子山の破損等を防止する懸架装置を開発した（特許文献１）。
【先行技術文献】
【特許文献】
【０００６】
【特許文献１】特開平９−２７３５０９号公報
【発明の概要】
【発明が解決しようとする課題】
【０００７】
前記特許文献１に記載の懸架装置によれば、前記種々の課題を解決することができるが、受け台に駒を挿入するための螺子孔を設ける必要があるため、既存のＣＡＴＶ機器には適用できないという難点がある。
【０００８】
本発明の目的は、メッセンジャーワイヤの径の大きさに拘らず、メッセンジャーワイヤをＣＡＴＶ機器の筐体に確実に締付けることができ、ボルトが曲がったり破損したりすることがなく、既存のＣＡＴＶ機器にも適用することができる押さえ具と当該押さえ具を備えた懸架装置を提供することにある。
【課題を解決するための手段】
【０００９】
［押さえ具］
本発明の押さえ具は、メッセンジャーワイヤをＣＡＴＶ機器の受け台と押さえ具で挟み、当該押さえ具を固定具で受け台に固定することによって、前記メッセンジャーワイヤにＣＡＴＶ機器を吊り下げることのできる懸架装置の押さえ具であって、大きさ又は／及び形状の異なる二以上の押さえ部と、突出長の異なる二以上の支持突起を備え、前記二以上の押さえ部の夫々は前記二以上の支持突起のいずれか一つと一対一の関係にあり、前記夫々の押さえ部はメッセンジャーワイヤが収まるワイヤ収まり部を備え、前記夫々の支持突起は一対一の関係にある押さえ部のワイヤ収まり部側に突出し、前記支持突起の突出長は、一対一の関係にある押さえ部でメッセンジャーワイヤを押さえたときに前記受け台に当接して押さえ具を水平又は略水平な状態に保持できる長さであり、前記二以上の押さえ部の中から選択される任意の押さえ部を用いることで所定外径のメッセンジャーワイヤを押さえることができ、前記任意の押さえ部とは異なる押さえ部を用いることで前記所定外径のメッセンジャーワイヤとは外径の異なる他のメッセンジャーワイヤを押さえることができるように構成されたものである。
【００１０】
［懸架装置］
本発明の懸架装置は、メッセンジャーワイヤをＣＡＴＶ機器の受け台と押さえ具で挟み、当該押さえ具を固定具で受け台に固定することによって、前記メッセンジャーワイヤにＣＡＴＶ機器を吊り下げることのできる懸架装置であって、押さえ具として本願発明の前記押さえ具を備えたものである。前記メッセンジャーワイヤを押さえた押さえ具を固定具で受け台に固定することによって、メッセンジャーワイヤにＣＡＴＶ機器を吊り下げることができるように構成されている。
【発明の効果】
【００１１】
［押さえ具］
本発明の押さえ具は、次の効果を奏する。
（１）大きさ又は／及び形状の異なる二以上の押さえ部を備えているため、一つの押さえ具で外径の異なる二種類以上のメッセンジャーワイヤに対応することができる。
（２）メッセンジャーワイヤの外側に押さえ具を宛がい、その押さえ具を受け台にボルトで固定するだけでメッセンジャーワイヤに吊り下げることができるため、吊下げ作業を簡単に行うことができる。
（３）ＣＡＴＶ機器の筐体に設けられた受け台に孔をあける等の加工をする必要がないため、既存のＣＡＴＶ機器にも簡単に適用することができる。
（４）支持突起を設けた場合、メッセンジャーワイヤを押さえたときに支持突起によって押さえ具が水平又は略水平な状態で支持されるため、押さえ具が傾くことによるボルトの曲がりや折損等を防止することができる。
【００１２】
［懸架装置］
本発明の懸架装置は、次の効果を奏する。
（１）大きさ又は／及び形状の異なる二以上の押さえ部を備えているため、一つの押さえ具で外径の異なる二種類以上のメッセンジャーワイヤに対応することができる。
（２）メッセンジャーワイヤの外側に押さえ具を宛がい、その押さえ具を受け台にボルトで固定するだけでメッセンジャーワイヤに吊り下げることができるため、吊下げ作業を簡単に行うことができる。
（３）支持突起を設けた場合、メッセンジャーワイヤを押さえたときに支持突起によって押さえ具が水平又は略水平な状態で支持されるため、押さえ具が傾くことによるボルトの曲がりや折損等を防止することができる。
【図面の簡単な説明】
【００１３】
【図１】（ａ）は本発明の懸架装置で細径のメッセンジャーワイヤを押さえる前の状態を示す斜視図、（ｂ）は本発明のＣＡＴＶ機器用で太径のメッセンジャーワイヤを押さえる前の状態を示す斜視図。
【図２】（ａ）は小さい方の押さえ部のワイヤ収まり部を下側に向けた場合の側面図、（ｂ）は大きい方の押さえ部のワイヤ収まり部を下側に向けた場合の側面図。
【図３】（ａ）〜（ｃ）は、小さい方の押さえ部でメッセンジャーワイヤを押さえる場合の手順説明図。
【図４】（ａ）〜（ｃ）は、大きい方の押さえ部でメッセンジャーワイヤを押さえる場合の手順説明図。
【図５】（ａ）はＶ字状のワイヤ収まり部を備えた押さえ部のうち小さい方の押さえ部のワイヤ収まり部を下側に向けた場合の側面図、（ｂ）はＶ字状のワイヤ収まり部を備えた押さえ部のうち大きい方の押さえ部のワイヤ収まり部を下側に向けた場合の側面図、（ｃ）は凹部のない平板上に二枚一組の壁板を立設してその壁板の間をワイヤ収まり部とした場合の側面図。
【図６】押さえ部と支持突起を三対備えた押さえ具の側面図。
【図７】（ａ）は基材の一面側のみに押さえ部を突出させ、支持突起を基材の他面側のみに突出させた場合の側面図、（ｂ）は（ａ）に示す押さえ具の小さい方の押さえ部でメッセンジャーワイヤを押さえた状態を示す側面図、（ｃ）は（ａ）に示す押さえ具の大きい方の押さえ部でメッセンジャーワイヤを押さえた状態を示す側面図。
【図８】従来のＣＡＴＶ機器の懸架装置をメッセンジャーワイヤに吊下げた状態を示す斜視図。
【図９】従来のＣＡＴＶ機器の懸架装置を示すものであり、（ａ）〜（ｃ）はメッセンジャーワイヤの径が異なる場合の取付け状態を示す縦断面図。
【発明を実施するための形態】
【００１４】
（実施形態１）
本発明の押さえ具及び懸架装置の一例を、図面を参照して説明する。本発明の懸架装置１０は、ＣＡＴＶ機器をメッセンジャーワイヤＭに吊り下げるのに用いるものである。説明の便宜上、以下では、押さえ具２のうちＣＡＴＶ機器側の面を下側といい、反対側の面を上側ということとする。
【００１５】
一例として図１（ａ）（ｂ）に示す懸架装置１０は、メッセンジャーワイヤＭの下側に宛がう受け台１と、当該メッセンジャーワイヤＭの上側に宛がう押さえ具２と、当該押さえ具を受け台１に固定するボルト３（固定具）を備えている。受け台１は図示を省略したＣＡＴＶ機器の筐体の上面に設けられている。
【００１６】
図２（ａ）（ｂ）に示す押さえ具２は、一枚の基材に形状が同じで大きさが異なる二つの押さえ部４を備えている。押さえ部４は、例えば曲げ加工によって基材を湾曲させることによって形成することができる。小さい方の押さえ部（本願において「小径押さえ部」という）４ａは基材の上側に突出し、大きい方の押さえ部（本願において「大径押さえ部」という）４ｂは基材の下側に突出している。両押さえ部４の突出部分の反対側には、メッセンジャーワイヤＭが収まるワイヤ収まり部５が形成されている。この実施形態ではワイヤ収まり部５を断面視弧状の凹溝としてある。前記メッセンジャーワイヤＭが収まるワイヤ収まり部５は、メッセンジャーワイヤＭの外周形状に合わせることで、より確実にＣＡＴＶ機器をメッセンジャーワイヤＭに固定し吊り下げることができる。
【００１７】
小径押さえ部４ａは、細径（例えば、断面積１８ｍｍ２〜３０ｍｍ２程度）のメッセンジャーワイヤＭ（本願において、「細径ワイヤＭ１」という）の保持に利用することができる。大径押さえ部４ｂは、太径（例えば、断面積３８ｍｍ２〜５５ｍｍ２程度）のメッセンジャーワイヤＭ（本願において、「太径ワイヤＭ２」という）の保持に利用することができる。また、細径ワイヤＭ１を保持するワイヤ収まり部５（Ｍ１用）は、最少径でなくてもよい。また、太径ワイヤＭ２を保持するワイヤ収まり部５（Ｍ２用）も、最大径でなくてもよい。（前記の細径乃至太径の範囲内にあればよい。）
【００１８】
前記押さえ具２は、突出長の異なる二つの支持突起６を備えている。この支持突起６は、メッセンジャーワイヤＭを押さえる押さえ具２を水平又は略水平に保持するためのものである。短い方の支持突起（本願において「短寸支持突起」という）６ａは小径押さえ部４ａと一対一の関係にあり、メッセンジャーワイヤＭ（細径ワイヤＭ１）を小径押さえ部４ａで押さえる際に利用される。この実施形態の短寸支持突起６ａは基材の二カ所を下側に曲げることにより形成された二片で構成されている。短寸支持突起６ａを構成する片は二片より多くても少なくてもよい。短寸支持突起６ａの長さ（突出長）は、小径押さえ部４ａで細径ワイヤＭ１を押さえたときに受け台１に当接して押さえ具２を水平又は略水平な状態に保持できる長さとしてある。
【００１９】
長い方の支持突起（本願において「長寸支持突起」という）６ｂは大径押さえ部４ｂと一対一の関係にあり、メッセンジャーワイヤＭ（太径ワイヤＭ２）を大径押さえ部４ｂで押さえる際に利用される。この実施形態の長寸支持突起６ｂは基材の一部を上側に曲げることにより形成された一片で構成されている。長寸支持突起６ｂは二片以上で構成することもできる。長寸支持突起６ｂの長さ（突出長）は、大径押さえ部４ｂで太径ワイヤＭ２を押さえたときに受け台１に当接して押さえ具２を水平又は略水平な状態に保持できる長さとしてある。
【００２０】
前記押さえ具２の基材には、押さえ具２を固定するボルト３を挿通するための挿通孔７（図１（ａ）（ｂ））が形成されている。挿通孔７は押さえ具２の横方向（幅方向）に細長な長孔としてある。長孔とすることで、メッセンジャーワイヤＭを押さえた押さえ具２が若干傾いても、挿通孔７の範囲内ではボルト３に外力がかからず、不用意に曲がったり破損したりすることがない。
【００２１】
この実施形態の押さえ具２は、メッセンジャーワイヤＭの外径に応じて、いずれかの押さえ部４を選択的に利用することができる。例えば、メッセンジャーワイヤＭが図３（ａ）〜（ｃ）に示すような細径ワイヤＭ１の場合、細径ワイヤＭ１の下側に受け台１のＶ溝１ａを宛がい（図３（ａ））、小径押さえ部４ａの凹溝を当該細径ワイヤＭ１の上側に宛がい（図３（ｂ））、その上側から挿通孔７にボルト３を差し込み、そのボルト３を受け台１に設けられた螺子孔１ｂにねじ込む（図３（ｃ））ことで、細径ワイヤＭ１を受け台１と押さえ具２（小径押さえ部４ａ）の間に挟持することができる。
【００２２】
他方、メッセンジャーワイヤＭが図４（ａ）〜（ｃ）に示すような太径ワイヤＭ２の場合、太径ワイヤＭ２の下側に受け台１のＶ溝１ａを宛がい（図４（ａ））、大径押さえ部４ｂの凹溝を当該太径ワイヤＭ２の上側に宛がい（図４（ｂ））、その上側から挿通孔７にボルト３を差し込み、そのボルト３を受け台１に設けられた螺子孔１ｂにねじ込む（図４（ｃ））ことで、太径ワイヤＭ２を受け台１と押さえ具２（大径押さえ部４ｂ）の間に挟持することができる。
【００２３】
（実施形態２）
前記実施形態１では、押さえ部４のワイヤ収まり部５が断面視弧状の凹溝の場合を一例としているが、押さえ部４の凹溝は他の形状とすることもできる。図５（ａ）（ｂ）は、押さえ部４の凹溝をＶ字状とした場合の例である。図５（ａ）（ｂ）に示す二つの押さえ部４は、形状が同じで大きさが異なるものである。図５（ａ）（ｂ）の例では、二つの押さえ部４の凹溝の内角を同じ角度としてあるが、凹溝の内角は異なる角度とすることもできる。
【００２４】
実施形態１と同様、短寸支持突起６ａの長さ（突出長）は、小径押さえ部４ａでメッセンジャーワイヤＭ（細径ワイヤＭ１）を押さえたときに受け台１に当接して押さえ具２を水平又は略水平な状態に保持できる長さとしてある。また、長寸支持突起６ｂの長さ（突出長）は、大径押さえ部４ｂでメッセンジャーワイヤＭ（太径ワイヤＭ２）を押さえたときに受け台１に当接して押さえ具２を水平又は略水平な状態に保持できる長さとしてある。
【００２５】
図１（ａ）（ｂ）〜図５（ａ）（ｂ）に示す例では、ワイヤ収まり部５が凹溝の場合を一例として説明しているが、ワイヤ収まり部５は凹溝でなくてもよい。例えば、図５（ｃ）のように、凹部のない平板の上に間隔をあけて対向する二枚一組の壁板８を二組以上立設し、当該対向する壁板８の間をワイヤ収まり部５とすることもできる。また、壁板８は先端側が広くなるように或いは先端側が狭くなるように角度をつけて立設することもできる。
【００２６】
（実施形態３）
前記実施形態１及び２の押さえ具２は、押さえ部４と支持突起６を二対備えたものであるが、押さえ部４と支持突起６は三対以上設けることもできる。図６は押さえ部４と支持突起６を三対設けた場合の例である。三つの押さえ部４は形状が同じで大きさが異なるものである。三つの支持突出３の突出長を異なる長さとしてある。図６の例では、押さえ部４の凹凸が基材の表裏に交互に突出するようにしてある。同様に、支持突起６も基材の表裏に交互に突出するようにしてある。図６中、左側の押さえ部４（小径押さえ部４ａ）と左側の支持突起６ａ、右側の押さえ部４（大径押さえ部４ｂ）と右側の支持突起６ｂ、真ん中の押さえ部４（中径押さえ部４ｃ）と真ん中の支持突起６ｃが、それぞれ一対一の関係にある。
【００２７】
左側の支持突起６ａの長さ（突出長）は、細径押さえ部４ａでメッセンジャーワイヤＭ（細径ワイヤＭ１）を押さえたときに受け台１に当接して押さえ具２を水平又は略水平な状態に保持できる長さとしてある。右側の支持突起６ｂの長さ（突出長）は、大径押さえ部４ｂでメッセンジャーワイヤＭ（太径ワイヤＭ２）を押さえたときに受け台１に当接して押さえ具２を水平又は略水平な状態に保持できる長さとしてある。真ん中の支持突起６ｃの長さ（突出長）は、中径押さえ部４ｃでメッセンジャーワイヤＭ（本願において「中径ワイヤＭ３」という）を押さえたときに受け台１に当接して押さえ具２を水平又は略水平な状態に保持できる長さとしてある。
【００２８】
図６の例では、押さえ部４の凹凸が基材の両面に交互に突出するようにしてあるが、押さえ部４の凹凸は交互に突出していなくてもよい。同様に、図６の例では、支持突起６が基材の両面に交互に突出するようにしてあるが、支持突起６は交互に突出していなくてもよい。
【００２９】
（実施形態４）
前記実施形態１〜３では、押さえ部４と支持突起６が基材の表面側と裏面側の双方に突出した場合を一例としているが、押さえ部４を基材の一方の面側にのみ突出させ、支持突起６を当該基材の他方の面側にのみ突出させることもできる。
【００３０】
図７（ａ）〜（ｃ）は押さえ部４を基材の上側面のみに突出させ、支持突起６を下側面のみに突出させた場合の例である。この例では、小径押さえ部４ａで細径ワイヤＭ１を押さえるときに、長寸支持突起６ｂが受け台１に当接して押さえ具２が傾くのを回避するため、長寸支持突起６ｂを、図７（ｂ）のように、小径押さえ部４ａでメッセンジャーワイヤＭを押さえたときに受け台１の幅方向外側にはみ出す位置に設けてある。
【００３１】
メッセンジャーワイヤＭが図７（ｂ）に示すような細径ワイヤＭ１の場合、当該細径ワイヤＭ１の下側に受け台１のＶ溝１ａを宛がい、小径押さえ部４ａの凹溝を当該細径ワイヤＭ１の上側に宛がい、その上側から挿通孔７にボルト３を差し込み、そのボルト３を受け台１に設けられた螺子孔１ｂにねじ込むことで、細径ワイヤＭ１を受け台１と押さえ具２の間に挟持することができる。
【００３２】
他方、メッセンジャーワイヤＭが図７（ｃ）に示すような太径ワイヤＭ２の場合、当該太径ワイヤＭ２の下側に受け台１のＶ溝１ａを宛がい、大径押さえ部４ｂの凹溝を当該太径ワイヤＭ２の上側に宛がい、その上側から挿通孔７にボルト３を差し込み、そのボルト３を受け台１に設けられた螺子孔１ｂにねじ込むことで、太径ワイヤＭ２を受け台１と押さえ具２の間に挟持することができる。
【００３３】
（その他の実施形態）
実施形態１〜４に示す構成は、適宜組み合わせることができる。例えば、二以上の押さえ部４のうち、一つの凹溝を実施形態１のような断面視弧状とし、他の一つの凹溝を実施形態２のような断面視Ｖ字状とすること等ができる。
【産業上の利用可能性】
【００３４】
本発明の押さえ具２は、新規に吊り下げられるＣＡＴＶ機器の取付けに利用するほか、メッセンジャーワイヤＭに吊り下げられた既設のＣＡＴＶ機器の押さえ具に代えて利用することもできる。
【符号の説明】
【００３５】
１    受け台
１ａ  Ｖ溝
１ｂ  螺子孔
２    押さえ具
３    ボルト（固定具）
４    押さえ部
４ａ  小径押さえ部
４ｂ  大径押さえ部
４ｃ  中径押さえ部
５    ワイヤ収まり部
６    支持突起
６ａ  短寸支持突起
６ｂ  長寸支持突起
７    挿通孔
８    壁板
１０  懸架装置
Ａ    筐体
Ｂ    懸架装置
Ｃ    受け台
Ｄ    Ｖ溝
Ｅ    押さえ具
Ｆ    ボルト
Ｇ    横板
Ｈ    湾曲部
Ｍ    メッセンジャーワイヤ
Ｍ１  細径ワイヤ
Ｍ２  太径ワイヤ
Ｍ３  中径ワイヤ
【図１】
2018173103.tif 000003
【図２】
2018173103.tif 000004
【図３】
2018173103.tif 000005
【図４】
2018173103.tif 000006
【図５】
2018173103.tif 000007
【図６】
2018173103.tif 000008
【図７】
2018173103.tif 000009
【図８】
2018173103.tif 000010
【図９】
2018173103.tif 000011